(57)【要約】【課題】少ない記憶容量で処理の複雑化や誤検出を伴うことなく、動作することのできる電子機器等を提供する。【解決手段】キー１〜４において、２つ以上のキーがＯＮとなったか否かを判断する（ステップＳ４）。２つ以上のキーがＯＮとなっている場合には、以降の処理を実行することなく、ステップＳ１に戻る。また、２つ以上のキーがＯＮとなっておらず、単一のキーのみがＯＮとなっている場合には、当該単一のＯＮキーは前回のＯＮキーと一致するか否かを判断する（ステップＳ５）。そして、前回のＯＮキーと一致する場合にはステップＳ１に戻る。しかし、前回のＯＮキーと一致しない場合には、メモリのキー履歴を更新するとともに（ステップＳ６）、キー処理を実行した後（ステップＳ７）、ステップＳ１に戻る。【選択図】図５
2010020566.tif 000002
【特許請求の範囲】
【請求項１】
人体が接触又は近接される複数の電極と、
所定の周期で、前記複数の電極に人体が接触又は近接されたことを検出する検出手段と、
この検出手段により前記電極に人体が接触又は近接されたことが検出される毎に、当該検出された電極が前記複数の電極のうち１つのみであり、かつ、その直前に検出された電極とは異なる電極であるか否かを判断する判断手段と、
この判断手段により、前記複数の電極のうち１つのみであり、かつ、その直前に検出された電極とは異なる電極であると判断された場合に、当該電極を特定するデータ順次記憶する記憶手段と、
この記憶手段に順次記憶されたデータの順序に応じた処理を実行する処理手段と、
を備えることを特徴とする電子機器。
【請求項２】
前記検出手段により、前記複数の電極のいずれにも人体が接触又は近接していないことが一定時間検出された場合に、前記記憶手段に記憶された前記データを消去する記憶制御手段を備えることを特徴とする請求項１記載の電子機器。
【請求項３】
人体が接触又は近接される複数の電極を備えた電子機器が有するコンピュータを、
所定の周期で、前記複数の電極に人体が接触又は近接されたことを検出する検出手段と、
この検出手段により前記電極に人体が接触又は近接されたことが検出される毎に、当該検出された電極が前記複数の電極のうち１つのみであり、かつ、その直前に検出された電極とは異なる電極であるか否かを判断する判断手段と、
この判断手段により、前記複数の電極のうち１つのみであり、かつ、その直前に検出された電極とは異なる電極であると判断された場合に、当該電極を特定するデータ順次記憶する記憶手段と、
この記憶手段に順次記憶されたデータの順序に応じた処理を実行する処理手段と、
して機能させることを特徴とする電子機器制御プログラム。
【請求項４】
人体が接触又は近接される複数の電極を備える電子機器の制御方法であって、
所定の周期で、前記複数の電極に人体が接触又は近接されたことを検出する検出ステップと、
この検出ステップにより前記電極に人体が接触又は近接されたことが検出される毎に、当該検出された電極が前記複数の電極のうち１つのみであり、かつ、その直前に検出された電極とは異なる電極であるか否かを判断する判断ステップと、
この判断ステップにより、前記複数の電極のうち１つのみであり、かつ、その直前に検出された電極とは異なる電極であると判断された場合に、当該電極を特定するデータ順次記憶手段に記憶させる記憶ステップと、
この記憶ステップにより前記記憶手段に順次記憶されたデータの順序に応じた処理を実行する処理ステップと、
を備えることを特徴とする電子機器制御方法。
【発明の詳細な説明】
【技術分野】
【０００１】
本発明は、人体が接触又は近接される複数の電極からなるキーを備えた電子機器、この電子機器の制御プログラム及び制御方法に関する。
【背景技術】
【０００２】
従来、人体が接触又は近接されることよりオンとなる静電容量式スイッチを用いた電子機器が知られている。この電子機器は、腕時計であって風防用の時計ガラスの表面に円軌道に沿って複数の静電容量式スイッチからなるキーが配置されている。これら複数のキーは所定の周期でその状態が検出されるとともに、各キーの状態は検出される毎に記憶される。
【０００３】
そして、これら検出される毎に記憶された各キーの状態に基づき、キーがどのような順序でオンとなったかが判別され、この判別された順序に応じて異なる処理が実行される。したがって、ユーザは風防ガラス上において、円軌道に沿って、あるキーから他のキーに指を摺動させることにより、摺動に伴ってタッチしたキーの順序に応じた動作を発生させることができる（例えば、特許文献１参照）。
【特許文献１】特開平２００４−１７８５８４号公報
【発明の開示】
【発明が解決しようとする課題】
【０００４】
しかしながら、所定の検出周期で各キーの状態を検出し、検出する毎に各キーの状態を記憶する必要がある。したがって、前記検出する周期が短いと、記憶するデータ量が多くなり、記憶容量を大きくしなければならないデメリットが生ずる。しかも、指をゆっくり摺動させると、前回の検出時と同一の状態が検出されて記憶される場合が生ずることから、記憶されたデータの内容からタッチしたキーの順序を判別する処理が複雑化してしまう。
【０００５】
また、逆に検出する周期が長いと、指を速く摺動させた場合、検出精度が低下してしまう。具体的には、指を摺動させてキー１、２、３の順序でタッチした場合、キー１、３のタッチみが検出される場合が生じ、精度よく検出を行うことができない。
【０００６】
本発明は、かかる従来の課題に鑑みてなされたものであり、少ない記憶容量で処理の複雑化や誤検出を伴うことなく、動作することのできる電子機器、及び電子機器を制御するための電子機器制御プログラム及び電子機器制御方法を提供することを目的とする。
【課題を解決するための手段】
【０００７】
前記課題を解決するため本発明に請求項１記載の発明に係る電子機器にあっては、人体が接触又は近接される複数の電極と、所定の周期で、前記複数の電極に人体が接触又は近接されたことを検出する検出手段と、この検出手段により前記電極に人体が接触又は近接されたことが検出される毎に、当該検出された電極が前記複数の電極のうち１つのみであり、かつ、その直前に検出された電極とは異なる電極であるか否かを判断する判断手段と、この判断手段により、前記複数の電極のうち１つのみであり、かつ、その直前に検出された電極とは異なる電極であると判断された場合に、当該電極を特定するデータ順次記憶する記憶手段と、この記憶手段に順次記憶されたデータの順序に応じた処理を実行する処理手段と、を備えることを特徴とする。
【０００８】
また、請求項２記載の発明に係る電子機器にあっては、前記検出手段により、前記複数の電極のいずれにも人体が接触又は近接していないことが一定時間検出された場合に、前記記憶手段に記憶された前記データを消去する記憶制御手段を備えることを特徴とする。
【０００９】
また、請求項３記載の発明に係る電子機器制御プログラムにあっては、人体が接触又は近接される複数の電極を備えた電子機器が有するコンピュータを、所定の周期で、前記複数の電極に人体が接触又は近接されたことを検出する検出手段と、この検出手段により前記電極に人体が接触又は近接されたことが検出される毎に、当該検出された電極が前記複数の電極のうち１つのみであり、かつ、その直前に検出された電極とは異なる電極であるか否かを判断する判断手段と、この判断手段により、前記複数の電極のうち１つのみであり、かつ、その直前に検出された電極とは異なる電極であると判断された場合に、当該電極を特定するデータ順次記憶する記憶手段と、この記憶手段に順次記憶されたデータの順序に応じた処理を実行する処理手段と、して機能させることを特徴とする。
【００１０】
また、請求項４記載の発明に係る電子機器制御方法にあっては、人体が接触又は近接される複数の電極を備える電子機器の制御方法であって、所定の周期で、前記複数の電極に人体が接触又は近接されたことを検出する検出ステップと、この検出ステップにより前記電極に人体が接触又は近接されたことが検出される毎に、当該検出された電極が前記複数の電極のうち１つのみであり、かつ、その直前に検出された電極とは異なる電極であるか否かを判断する判断ステップと、この判断ステップにより、前記複数の電極のうち１つのみであり、かつ、その直前に検出された電極とは異なる電極であると判断された場合に、当該電極を特定するデータ順次記憶手段に記憶させる記憶ステップと、この記憶ステップにより前記記憶手段に順次記憶されたデータの順序に応じた処理を実行する処理ステップと、を備えることを特徴とする。
【発明の効果】
【００１１】
本発明によれば、所定の周期で電極に人体が接触又は近接されたことが検出される毎に、当該検出された電極が前記複数の電極のうち１つのみであり、かつ、その直前に検出された電極とは異なる電極であることを条件として、当該電極を特定するデータ順次記憶することから、データを記憶するために必要な記憶容量を少ないものにすることができる。また、記憶されるデータが前記条件により制限されることから、この記憶されたデータのを用いる際の処理が複雑化することはなく、記憶されたデータ順序に応じた処理を精度よく実行することができる。
【発明を実施するための最良の形態】
【００１２】
以下、図１〜図６を参照して、この発明を電子腕時計に適用した実施の形態について説明する。図１はこの発明の電子腕時計の拡大正面図、図２は図１のＡ−Ａ矢視における拡大断面図である。この電子腕時計は、図１及び図２に示すように、腕時計ケース１を備えている。腕時計ケース１は、金属または合成樹脂からなり、その上部中央に時計ガラス２がパッキン２ａを介して取り付けられ、内部に時計モジュール３が収納され、下部に裏蓋４が防水リング４ａを介して取り付けられた構成なっている。この場合、腕時計ケース１の上部外周には、ベゼル１９が設けられている。また、時計ガラス２の下側に位置する腕時計ケース１の内周面には、見切り部材２０が設けられている。
【００１３】
時計モジュール３は、上部ハウジング５と下部ハウジング６とを備えている。この上部ハウジング５と下部ハウジング６との間には、図２に示すように、回路基板７が配置されており、この回路基板７には、ＬＳＩ８及び検出素子９などの時計機能に必要な各種の電子部品が搭載されている。この場合、検出素子９は、後述するタッチスイッチの静電容量の変化を検出するためのものである。また、下部ハウジング６には、電池１０が回路基板７に電気的に接続された状態で設けられている。
【００１４】
一方、上部ハウジング５の上面には、図２に示すように、合成樹脂製の文字板１１が配置されており、この上部ハウジング５の内部には、時計ムーブメント１２が設けられている。この時計ムーブメント１２は、その指針１２ａが文字板１１の貫通孔１１ａを通して上方に突出し、この突出した上端部に指針１２ｂが取り付けられ、この指針１２ｂが文字板１１の上方を運針するように構成されている。この場合、文字板１１の上面には、図１〜図３に示すように、複数の電極部１３〜１６が設けられている。この複数の電極部１３〜１６は、ＩＴＯなどの透明な導電性材料からなり、図１に示すように、１時と２時の間、４時と５時の間、７時と８時の間、１０時と１１時の間に対応してそれぞれ円形状に形成されている。
【００１５】
この場合、複数の電極部１３〜１６は、図１に示すように、その各接続配線１３ａ〜１６ａが文字板１１の９時側の側端面から下面に導かれ、この下面に導かれた端子部（図示せず）が図２に示すようにインターコネクタ１７によって回路基板７と電気的に接続されている。
なお、図１に示すように、文字板１１の一部上には、現在年月日（表示例は、「２００８年１１月１８日」を示す）をデジタル表示するデジタル表示部３６が設けられている。
【００１６】
次に、図４を参照して、この電子腕時計の回路構成について説明する。複数の電極部１３〜１６とこれに対応する時計ガラス２の外表面との間にそれぞれタッチスイッチ用のコンデンサＣ１〜Ｃ４が形成され、複数の電極部１３〜１６に対応する箇所の時計ガラス２の外表面を指などの人体の一部で触ると、各コンデンサＣ１〜Ｃ４に静電容量が発生する。一方、静電容量の変化を検出する検出素子９の検出回路は、ＣＲ発振回路２１〜２４、カウンター２５、タイマー２６、スイッチ制御回路２７を備えている。そして、通常の状態、つまり指などの人体の一部がタッチ部１８に接触していない状態では、ＣＲ発振回路２１〜２４がそれぞれ内臓容量Ｃｉ１〜Ｃｉ４と内臓抵抗Ｒｉ１〜Ｒｉ４とで決まる周波数で発振する。
【００１７】
また、指などの人体の一部が、複数の電極部１３〜１６のうち、例えば図４において電極部１３に対応する箇所の時計ガラス２の外表面に接触すると、電極部１３と時計ガラス２の外表面との間のコンデンサＣ１に静電容量Ｃｔが発生する。また、このときには、人体とグランドＧ１とは静電容量Ｃｅで結合していると考えられるため、電極部２１には、電容量Ｃｔと静電容量Ｃｅとの合成容量が結合される。したがって、ＣＲ発振回路２１の静電容量Ｃは、ＣｔとＣｅの合成容量及び内臓容量Ｃｉの並列容量となる。つまり、時計ガラス２の外表面を指で触ると、ＣＲ発振回路２１の静電容量Ｃは、ＣｔとＣｅの合成容量分が増え、周波数が遅くなる。この周波数の変化を拾うことで、電極部１３に対応するタッチ部１８に指が触れてタッチスイッチがオンしたと判断し、通常のキー入力と同じ動作に移る。
【００１８】
この場合、電極部１３以外の各電極部１４〜１６にそれぞれ対応する時計ガラス２の外表面を指などの人体の一部で触れたときも、上記と同様、ＣＲ発振回路２２〜２４の各静電容量Ｃはそれぞれ、ＣｔとＣｅの合成容量分が増え、周波数が遅くなる。この周波数の変化を拾うことで、各電極部１４〜１６に対応する箇所の時計ガラス２の外表面に指が触れてタッチスイッチがオンしたと判断し、通常のキー入力と同じ動作に移る。
【００１９】
また、ＣＲ発振回路２１〜２４の周波数を見るには、ＣＲ発振回路２１〜２４の出力をオアゲート２８を介してカウンター２５に与え、一定時間の間にＣＲ発振回路２１〜２４の出力が何カウントするかを測定すればよい。このため、一定時間をタイマー２６で作り、ＣＲ発振回路２１〜２４の出力をカウンター２５でカウントする。このときには、スイッチ制御回路２７からの信号ａによってカウンター２５がカウントを開始すると共にタイマー２６がスタートする。タイマー２６は一定時間カウントすると、信号ｂを出力してカウンター２５のカウントを停止させる。そのときのカウンター２５のデータがスイッチ制御回路２７に読み込まれ、基準値と比較して小さいときに、中央制御回路３０にキー入力信号ｃを出力する。
【００２０】
中央制御回路３０は、ＣＰＵ及びその周辺回路、ＣＰＵの動作プログラムを記憶したＲＯＭ等で構成されており、ＲＡＭ３１、時計回路３２、指針駆動回路３３、及びデジタル表示部駆動回路３４が接続されている。ＲＡＭ３１は、前記中央制御回路３０におけるＣＰＵの作業領域等として使用され、時計回路３２は、所定周波数のクロック信号を分周して時刻データを生成する。そして、中央制御回路３０が、前記時刻データに基づき指針駆動回路３３を制御することにより、前記指針１２ａ、１２ｂが駆動され、デジタル表示部駆動回路３４を制御することにより、前記デジタル表示部３６には現在年月日が表示される。
【００２１】
図５は、本実施の形態における処理手順を示すフローチャートであり、中央制御回路３０は前記プログラムに従って、処理を実行する。なお、以下のフローチャートにおいては、図１に付記したように、各電極部１３〜１５で構成される各キーをキー１〜４とする。
【００２２】
すなわち、中央制御回路３０は、後述するタイマーにより計測してる時間に基づき、前記キー１〜４の検出タイミングとなったか否かを判断する（ステップＳ１）。検出タイミングとなったならば、前記キー１〜４においてＯＮとなったキーがあるか否かを判断する（ステップＳ２）。ＯＮとなったキーがあった場合には、前記検出タイミングを計測するためのタイマーをクリアするとともに、スタートさせる（ステップＳ３）。
【００２３】
次に、前記キー１〜４において、２つ以上のキーがＯＮとなったか否かを判断する（ステップＳ４）。２つ以上のキーがＯＮとなっている場合には、以降の処理を実行することなく、ステップＳ１に戻る。また、２つ以上のキーがＯＮとなっておらず、単一のキーのみがＯＮとなっている場合には、当該単一のＯＮキーは前回のＯＮキーと一致するか否かを判断する（ステップＳ５）。そして、前回のＯＮキーと一致する場合にはステップＳ１に戻る。しかし、前回のＯＮキーと一致しない場合には、ＲＡＭ３１内に設けられているメモリのキー履歴を更新するとともに（ステップＳ６）、キー処理を実行した後（ステップＳ７）、ステップＳ１に戻る。
【００２４】
つまり、本実施の形態においては、所定の周期でキー１〜４に人体が接触又は近接されたことが検出される毎に、当該検出されたキーが前記複数のキーのうち１つのみであり（ステップＳ４；ＮＯ）、かつ、その直前に検出されたキーとは異なるキーであること（ステップＳ５；ＮＯ）を条件として、メモリのキー履歴を更新する（ステップＳ６）。したがって、図６（Ａ）〜（Ｄ）に示すように、メモリのキー履歴更新時（キー履歴１〜４）において、第１に、複数のキーが記憶されることはなく、第２に、前回と同一のキーが記憶されることもない。このように、当該キー１〜４を特定するデータ順次記憶することから、データを記憶するために必要な記憶容量を少ないものにすることができる。また、記憶されるデータが前記条件により制限されることから、この記憶されたデータのを用いる際の処理が複雑化することはなく、記憶されたデータ順序に応じた処理を精度よく実行することができる。
【００２５】
なお、ステップＳ７で実行されるキー処理の一例を下記に示す。
キーに１接触・・・時刻修正モードへ
キー１，２連続・・・＋１分
キー１，２，３連続・・・＋１０分
キー１，２，３，４連続・・・＋１時間
キー１，４連続・・・−１分
キー１，４，３連続・・・−１０分
キー１，４，３，２連続・・・−１時間
キ−１・・・時間モードへ戻る
キー４に接触・・・日付修正モード
キー４，１連続・・・＋１日
キー４，１，２連続・・・＋１０日
キー４，１，２，３連続・・・＋１月
キー４，３連続
キー４，３，２連続
キー４，３，２，１連続
キー２・・・＋１年
キー３・・・−１年
キー４・・・時計モードへ戻る
【００２６】
他方、前記ステップＳ２での判断の結果、検出タイミングにおいてＯＮキーがない場合には（ステップＳ２；ＮＯ）、一定時間が経過したか否かを判断し（ステップＳ８）、一定時間が経過していない場合には、ステップＳ１に戻る。そして、ＯＮキーなく一定時間が経過した場合には、図６に示したメモリの履歴をクリアして（ステップＳ９）、処理を終了する。
【００２７】
したがって、不要となったメモリの履歴をクリアして、次のキー履歴の記憶に備えることができる。
【００２８】
なお、実施の形態においては、本発明を腕時計に適用した場合を示したが、これに限らずスイッチを具備する各種電子機器に適用し得ることは勿論である。
【図面の簡単な説明】
【００２９】
【図１】本発明の一実施の形態に係る電子腕時計の拡大正面図である。
【図２】図１のＡ−Ａ矢視における拡大断面図である。
【図３】図２の文字板を示した拡大断面図である。
【図４】回路構成を示す図である。
【図５】処理手順を示すフローチャートである。
【図６】キー履歴遷移図である。
【符号の説明】
【００３０】
１〜４    キー
２    時計ガラス
３    時計モジュール
４    日付修正モードキー
５    上部ハウジング
６    下部ハウジング
７    回路基板
８    ＬＳＩ
９    検出素子
１０    電池
１１    文字板
１１ａ    貫通孔
１２ａ    指針
１２ｂ    指針
１３〜１６    電極部
【図１】
2010020566.tif 000003
【図２】
2010020566.tif 000004
【図３】
2010020566.tif 000005
【図４】
2010020566.tif 000006
【図５】
2010020566.tif 000007
【図６】
2010020566.tif 000008